(57)【要約】移動機と基地局と基地局制御装置を備えた移動通信システムにおいて、ハンドオーバ状態における下り送信に際して、基地局制御装置からのユーザデータを第１の基地局より移動機へ送信し、基地局制御装置からのユーザデータに対する誤り訂正符号を第２の基地局より移動機へ送信し、移動機は受信したユーザデータに、受信した誤り訂正符号を用いて誤り訂正処理を施してユーザデータを復号する。ハンドオーバ状態における上り送信においても、移動機からユーザデータと誤り訂正符号を別々の伝送路を介して基地局制御装置に送信する。
2005025262.tif 000002
【特許請求の範囲】
【請求項１】
移動機と基地局と基地局制御装置を備えた移動通信システムのハンドオーバ通信方法において、
送信側よりデータと該データに対する誤り訂正符号を別々の伝送路を介して送信し、
受信側は該データと該データに対する誤り訂正符号を受信し、受信した前記データに受信した前記誤り訂正符号を用いて誤り訂正処理を施す、
ことを特徴とするハンドオーバ時における通信方法。
【請求項２】
移動機と基地局と基地局制御装置を備えた移動通信システムのハンドオーバ通信方法において、
ハンドオーバ状態における下り送信に際して、基地局制御装置からのユーザデータを第１の基地局より移動機へ送信し、
基地局制御装置からの前記ユーザデータに対する誤り訂正符号を第２の基地局より前記移動機へ送信し、
前記移動機は受信した前記ユーザデータに、受信した前記誤り訂正符号を用いて誤り訂正処理を施す、
ことを特徴とするハンドオーバ通信方法。
【請求項３】
移動機と基地局と基地局制御装置を備えた移動通信システムのハンドオーバ通信方法において、
ハンドオーバ状態における上り送信に際して、移動機から第１の基地局へユーザデータを送信し、
前記移動機から第２の基地局へ、前記ユーザデータに対する誤り訂正符号を送信し、
基地局制御装置は前記第１、第２の基地局より受信した前記ユーザデータに、受信した前記誤り訂正符号を用いて誤り訂正処理を施す、
ことを特徴とするハンドオーバ通信方法。
【請求項４】
移動機とセクタ化された基地局と基地局制御装置を移動通信システムのハンドオーバ通信方法において、
ハンドオーバ状態における下り送信に際して、基地局制御装置からのユーザデータを前記セクタ化基地局の第１のセクタより移動機へ送信し、
基地局制御装置からの前記ユーザデータに対する誤り訂正符号を、前記セクタ化基地局の第２のセクタより前記移動機へ送信し、
前記移動機は受信した前記ユーザデータに、受信した前記誤り訂正符号を用いて誤り訂正処理を施す、
ことを特徴とするハンドオーバ時における通信方法。
【請求項５】
移動機とセクタ化された基地局と基地局制御装置を移動通信システムのハンドオーバ通信方法において、
ハンドオーバ状態における上り送信に際して、移動機からセクタ化基地局の第１のセクタへユーザデータを送信し、
前記移動機から前記セクタ化基地局の第２のセクタへ前記ユーザデータに対する誤り訂正符号を送信し、
前記セクタ化基地局あるいは前記基地局制御装置は、前記第１、第２のセクタより受信した前記ユーザデータに、前記誤り訂正符号を用いて誤り訂正処理を施す、
ことを特徴とするハンドオーバ通信方法。
【請求項６】
下り送信に際して前記基地局制御装置は、
前記誤り訂正符号を生成し、
前記基地局へ、前記ユーザデータと前記誤り訂正符号を送信する、
ことを特徴とする請求項２又は４記載のハンドオーバ通信方法。
【請求項７】
上り送信に際して前記移動機は、
前記誤り訂正符号を生成し、
前記基地局へ、前記ユーザデータと前記誤り訂正符号を送信する、
ことを特徴とする請求項３又は５記載のハンドオーバ通信方法。
【請求項８】
ユーザデータ及び誤り訂正符号それぞれの受信時の目標品質を、ユーザデータの最終的な希望品質よりも低い値に設定する、
ことを特徴とする請求項２乃至５記載のハンドオーバ通信方法。
【請求項９】
目標品質と実際の品質との差に基づいて、誤り訂正符号の訂正能力を可変制御する、
ことを特徴とする請求項２乃至５記載のハンドオーバ通信方法。
【請求項１０】
一定期間における誤り訂正後の復号成功率を監視し、
該復号成功率に基づいて誤り訂正符号の訂正能力を可変制御する、
ことを特徴とする請求項２乃至５記載のハンドオーバ通信方法。
【請求項１１】
受信ＳＩＲと目標ＳＩＲの大小に基づいて生成される電力制御情報に基づいて誤り訂正能力を制御する、
ことを特徴とする請求項２乃至５記載のハンドオーバ通信方法
【請求項１２】
前記電力制御情報を一定時間監視し、電力増加指示が閾値以上であれば誤り訂正能力を強くし、電力減小指示がある閾値以上であれば誤り訂正能力を弱くする、
ことを特徴とする請求項１１記載のハンドオーバ通信方法。
【請求項１３】
誤り訂正後の品質と希望品質とを比較し、誤り訂正後の品質が該希望品質を下回っていれば誤り訂正能力を強くし、希望品質を上回っていれば、誤り訂正能力を弱くする、
ことを特徴とする請求項８記載のハンドオーバ通信方法。
【請求項１４】
前記基地局と移動機間の複数の無線伝送路のうち、無線伝送路状態が良好な伝送路を介してユーザデータを送信する、
ことを特徴とする請求項２乃至５記載のハンドオーバ通信方法。
【請求項１５】
移動機と基地局間および基地局と基地局制御装置間でそれぞれ送受されるフレームに、ユーザデータと一次誤り訂正符号のどちらが搭載されているかを示す搭載データ識別子を付加して送信する、
ことを特徴とする請求項１４記載のハンドオーバ通信方法。
【請求項１６】
各伝送路のＲＳＣＰ値に基づいて無線伝送路状態が良好な伝送路を検出する、
ことを特徴とする請求項１４記載のハンドオーバ通信方法。
【請求項１７】
各伝送路の電力制御情報に含まれる送信電力アップ指示あるいは送信電力ダウン指示の所定期間内における回数に基づいて無線伝送路状態が良好な伝送路を検出する、
ことを特徴とする請求項１４記載のハンドオーバ通信方法。
【請求項１８】
移動機と基地局と基地局制御装置を備え、移動機と基地局は無線にて通信可能な通信路を持ち、基地局と基地局制御装置は有線にて通信可能な通信路を持ち、ハンドオーバ状態においてこれら通信路を用いて基地局制御装置と移動機間に通信可能な複数の伝送路を形成して通信を行なう通信システムにおいて、
基地局制御装置から複数の基地局を経由して移動機に到る複数の伝送路を介して通信するハンドオーバ状態における下り送信時、基地局制御装置は、一つの伝送路を介してユーザデータを第１の基地局へ送信し、他の伝送路を介して前記ユーザデータに対する一次誤り訂正符号を第２の基地局へ送信し、
前記第１の基地局は、前記ユーザデータに二次誤り訂正符号化処理を施して得られた符号化データを移動機に送信し、
前記第２の基地局は、前記一次誤り訂正符号に二次誤り訂正符号化処理を施して得られた符号化された一次誤り訂正符号を移動機と送信し、
移動機は、前記第１の基地局から受信したユーザデータに対して二次誤り訂正を行うと共に、前記第２の基地局から受信した符号化された一次誤り訂正符号に対して二次誤り訂正を行い、該二次誤り訂正後のユーザデータに二次誤り訂正後の一次誤り訂正符号を用いて誤り訂正を行う、
ことを特徴とする通信システム。
【請求項１９】
移動機と基地局と基地局制御装置を備え、移動機と基地局は無線にて通信可能な通信路を持ち、基地局と基地局制御装置は有線にて通信可能な通信路を持ち、ハンドオーバ状態においてこれら通信路を用いて基地局制御装置と移動機間に通信可能な複数の伝送路を形成して通信を行なう通信システムにおいて、
移動機から複数の基地局を経由して基地局制御装置に到る複数の伝送路を介して通信するハンドオーバ状態における上り送信時、移動機はユーザデータに二次誤り訂正符号化処理を施して得られた符号化データを第１の基地局に送信し、かつ、前記ユーザデータに対する一次誤り訂正符号に二次誤り訂正符号化処理を施して得られた符号化された一次誤り訂正符号を第２の基地局に送信し、
前記第１の基地局は、移動機から受信したユーザデータに二次誤り訂正処理を施して基地局制御装置に一つの伝送路を介して送信し、
前記第２の基地局は、移動機から受信した符号化された一次誤り訂正符号に二次誤り訂正を行って基地局制御装置に別の伝送路を介して送信し、
基地局制御装置は前記第１の基地局から受信した二次誤り訂正後のユーザデータに対して前記第２の基地局から受信した二次誤り訂正後の一次誤り訂正符号を用いて誤り訂正処理を施す、
ことを特徴とする通信システム。
【請求項２０】
移動機とセクタ化された基地局と基地局制御装置を備え、移動機とセクタ化基地局は無線にて通信可能な通信路を持ち、セクタ化基地局と基地局制御装置は有線にて通信可能な通信路を持ち、ハンドオーバ状態においてこれら通信路を用いて基地局制御装置と移動機間で通信可能な複数の伝送路を形成して通信を行なう通信システムにおいて、
基地局制御装置とセクタ化基地局の複数のセクタを経由して移動機に到る複数の伝送路を介して通信するハンドオーバ状態における下り送信時、前記基地局制御装置は、ユーザデータを前記セクタ化基地局に送信し、
前記セクタ化基地局は、ユーザデータに対して次誤り訂正符号生成処理を施し、ついで、前記ユーザデータに二次誤り訂正符号化処理を施して得られた符号化データを第１のセクタを介して移動機に送信し、かつ、該ユーザデータに対する一次誤り訂正符号に二次誤り訂正符号化処理を施して得られた符号化された一次誤り訂正符号を第２のセクタを介して移動機に送信し、
移動機は、前記セクタ基地局の第１セクタを介して受信した符号化データに対して二次誤り訂正を行うと共に、第２セクタを介して受信した符号化された一次誤り訂正符号に対して二次誤り訂正を行い、ついで、二次誤り訂正後のユーザデータに二次誤り訂正後の一次誤り訂正符号を用いて誤り訂正処理を施す、
ことを特徴とする通信システム。
【請求項２１】
移動機とセクタ化された基地局と基地局制御装置を備え、移動機とセクタ化基地局は無線にて通信可能な通信路を持ち、セクタ化基地局と基地局制御装置は有線にて通信可能な通信路を持ち、ハンドオーバ時、これら通信路を用いて基地局制御装置と移動機間で通信可能な複数の伝送路を形成して通信を行なう通信システムにおいて、
移動機とセクタ化基地局の複数のセクタを経由して基地局制御装置に到る複数の伝送路を介して通信する上り送信のハンドオーバ状態時に、前記移動機はユーザデータに二次誤り訂正符号化処理を施して得られた符号化データを、第１セクタを介して前記セクタ化基地局に送信し、かつ、前記ユーザデータに対する一次誤り訂正符号に二次誤り訂正符号化処理を施して得られた符号化された一次誤り訂正符号を第２セクタを介して前記セクタ化基地局に送信し、
前記セクタ化基地局は、移動機から受信した符号化データに二次誤り訂正を行い、かつ、前記移動機から受信した符号化された一次誤り訂正符号に二次誤り訂正を行い、該二次誤り訂正後のユーザデータに該二次誤り訂正後の一次誤り訂正符号を用いて誤り訂正処理を施して得られたユーザデータを前記基地局制御装置に送信する、
ことを特徴とする通信システム。
【請求項２２】
移動機とセクタ化された基地局と基地局制御装置を備え、移動機とセクタ化基地局は無線にて通信可能な通信路を持ち、セクタ化基地局と基地局制御装置は有線にて通信可能な通信路を持ち、ハンドオーバ状態においてこれら通信路を用いて基地局制御装置と移動機間で通信可能な複数の伝送路を形成して通信を行なう通信システムにおいて、
基地局制御装置とセクタ化基地局の複数のセクタを経由して移動機に到る複数の伝送路を介して通信するハンドオーバ状態における下り送信時、基地局制御装置は、ユーザデータおよび該ユーザデータに対する一次誤り訂正符号を前記セクタ化基地局に送信し、
前記セクタ化基地局は、前記ユーザデータに二次誤り訂正符号化処理を施して得られた符号化データを第１のセクタを介して移動機に送信し、かつ、前記一次誤り訂正符号に二次誤り訂正符号化処理を施して得られた符号化された一次誤り訂正符号を第２のセクタを介して移動機に送信し、
移動機は、前記セクタ基地局の第１セクタを介して受信した符号化データに対して二次誤り訂正処理を施すと共に、第２セクタを介して受信した符号化された一次誤り訂正符号に対して二次誤り訂正処理を施し、該二次誤り訂正後のユーザデータに二次誤り訂正後の一次誤り訂正符号を用いて誤り訂正処理を施す、
ことを特徴とする通信システム。
【請求項２３】
移動機とセクタ化された基地局と基地局制御装置を備え、移動機とセクタ化基地局は無線にて通信可能な通信路を持ち、セクタ化基地局と基地局制御装置は有線にて通信可能な通信路を持ち、ハンドオーバ状態においてこれら通信路を用いて基地局制御装置と移動機間で通信可能な複数の伝送路を形成して通信を行なう通信システムにおいて、
移動機とセクタ化基地局の複数のセクタを経由して基地局制御装置に到る複数の伝送路を介して通信するハンドオーバ状態における上り送信時、前記移動機はユーザデータに二次誤り訂正符号化処理を施して得られた符号化データを、第１セクタを介して前記セクタ化基地局に送信し、かつ、前記ユーザデータに対する一次誤り訂正符号に二次誤り訂正符号化処理を施して得られた符号化された一次誤り訂正符号を、第２セクタを介して前記セクタ化基地局に送信し、
前記セクタ化基地局は、移動機から受信した符号化データに二次誤り訂正処理を施して前記基地局制御装置に送信すると共に、前記移動機から受信した符号化された一次誤り訂正符号に二次誤り訂正処理を施して前記基地局制御装置に送信し、
前記基地局制御装置は前記セクタ化基地局から受信した二次誤り訂正後のユーザデータに二次誤り訂正後の一次誤り訂正符号を用いて誤り訂正を施す、
ことを特徴とする通信システム。
【請求項２４】
移動機と基地局と基地局制御装置を備え、ハンドオーバ状態において基地局制御装置から少なくとも２つの基地局を介して移動機へユーザデータを送信する移動通信システムの移動機において、
ハンドオーバ状態における下り送信に際して、基地局制御装置からのユーザデータを第１の基地局より受信する手段、
ハンドオーバ状態における下り送信に際して、基地局制御装置からの前記ユーザデータに対する誤り訂正符号を第２の基地局より受信する手段、
受信した前記ユーザデータに、受信した前記誤り訂正符号を用いて誤り訂正処理を施してユーザデータを復号する手段、
を備えたことを特徴とする移動機。
【請求項２５】
ハンドオーバ状態における上り送信に際して、前記基地局制御装置へのユーザデータを前記第１の基地局を介して送信する手段、
ハンドオーバ状態における上り送信に際して、前記基地局制御装置へ送信する前記ユーザデータに対する誤り訂正符号を、前記第２の基地局を介して送信する手段、
を備えたことを特徴とする請求項２４記載の移動機。
【請求項２６】
移動機とセクタ化された基地局と基地局制御装置を備え、ハンドオーバ状態において基地局制御装置から基地局の少なくとも２つののセクタを介して移動機へユーザデータを送信する移動通信システムの移動機において、
ハンドオーバ状態における下り送信に際して、基地局制御装置からのユーザデータを前記セクタ化基地局の第１のセクタより受信する手段、
ハンドオーバにおける下り送信に際して、前記基地局制御装置からの前記ユーザデータに対する誤り訂正符号を前記セクタ化基地局の第２のセクタより受信する手段、
前記受信したユーザデータに、前記受信した誤り訂正符号を用いて誤り訂正処理を施してユーザデータを復号する手段、
を備えたことを特徴とする移動機。
【請求項２７】
ハンドオーバ時における上り送信に際して、前記基地局制御装置へのユーザデータを、前記セクタ化基地局の第１セクタを介して送信する手段、
ハンドオーバ時における上り送信に際して、前記基地局制御装置へ送信する前記ユーザデータに対する誤り訂正符号を、前記セクタ化基地局の第２セクタを介して送信する手段、
を備えたことを特徴とする請求項２６記載の移動機。
【請求項２８】
第１パスからデータ、第２パスから該データの誤り訂正用データを受信する送信手段と、
該送信手段により該データが送信対象の装置において受信が完了されるまで又は完了から所定時間内に、該誤り訂正用データが該装置において受信が完了するように制御する制御手段と、
を備えたことを特徴とする無線通信システムにおける送信制御装置。
【請求項２９】
第１パス及び第２パスのそれぞれを介してデータを送信する送信手段と、
該第１パスのデータ及び該第２パスのデータについての誤り訂正用データを第３パスを介して送信する送信手段と、
を備えたことを特徴とする無線通信装置。
【請求項３０】
第１パス及び第２パスのそれぞれを介してデータを送信する受信手段と、
該第１パスのデータ及び該第２のパスのデータについての誤り訂正用データを第３パスを介して受信する送信手段と、
該受信手段で受信した該第１パス及び該第２パスからのデータのそれぞれについて該第３パスを介して受信した前記誤り訂正用データを用いて誤り訂正処理する訂正手段と、
を備えたことを特徴とする無線通信装置。
【請求項３１】
ターボ符号化により得られた複数のデータ系列の一部の系列を少なくとも他の系列とは異なる無線伝送路を介して送信する送信手段、
を備えたことを特徴とする無線通信装置。
【請求項３２】
ターボ符号化により得られた複数のデータ系列の一部の系列を少なくとも他の系列とは異なる無線伝送路を介して受信する受信手段と、
該異なる無線伝送路を介して受信して得られた前記複数のデータ系列を用いてターボ復号する復号手段と、
を備えたことを特徴とする無線通信装置。
【発明の詳細な説明】
【技術分野】  本発明は通信システム及びそのハンドオーバ通信方法に係わり、特に、移動機と基地局と基地局制御装置を備え、ハンドオーバ時に基地局制御装置と移動機間で２以上の伝送路を介してユーザデータを送受する通信システム及びハンドオーバの通信方法に関する。
【背景技術】  Ｗ−ＣＤＭＡ方式を使用した無線通信システムは、３ＧＰＰ（３ｒｄ  Ｇｅｎｅｒａｔｉｏｎ  Ｐａｒｔｎｅｒｓｈｉｐ  Ｐｒｏｊｅｃｔ）にて仕様化が行われ、現在国内でも実際のサービスが開始されている。図３４は無線通信システムの構成概略図である。３ＧＰＰでの無線アクセス系（ＲＡＮ：Ｒａｄｉｏ  Ａｃｃｅｓｓ  Ｎｅｔｗｏｒｋ）は、ＲＮＣ（Ｒａｄｉｏ  Ｎｅｔｗｏｒｋ  Ｃｏｎｔｒｏｌｅｒ：基地局制御装置）１、ＮｏｄｅＢ（基地局）３ａ，３ｂ…、ＵＥ（Ｕｓｅｒ  Ｅｑｕｉｐｍｅｎｔ：移動機）５，６，…から構成されており、基地局制御装置１はＣＮ（Ｃｏｒｅ  Ｎｅｔｗｏｒｋ）７にＩｕインターフェースで接続され、基地局３ａ，３ｂとはＩｕｂインターフェースで接続されている。
かかる３ＧＰＰ仕様における移動通信システムにおいて、基地局３ａ，３ｂおよび移動機５，６では所定のエラーレートが得られるように、又、送信電力が過大にならない様に送信電力制御を行っている。図３５はかかる送信電力制御（インナーループ電力制御）の説明図で基地局の送信電力を制御する場合を示している。
基地局３ａの拡散変調部３ａ１は指定されたチャネルに応じた拡散コードを用いて送信データを拡散変調し、電力増幅器３ａ２は、拡散変調後に直交変調、周波数変換などの処理を施されて入力した信号を増幅してアンテナより移動機５に向けて送信する。移動機の受信部の逆拡散部５ａは受信信号に逆拡散処理を施し、復調部５ｂは受信データを復調する。ＳＩＲ測定部５ｃは受信信号と干渉信号との電力比を測定する。比較部５ｄは目標ＳＩＲと測定ＳＩＲを比較し、測定ＳＩＲが目標ＳＩＲより大きければＴＰＣ（Ｔｒａｎｓｍｉｓｓｉｏｎ  Ｐｏｗｅｒ  Ｃｏｎｔｒｏｌ）ビットで送信電力を下げるコマンド（ｄｏｗｎコマンド）を作成し、測定ＳＩＲが目標ＳＩＲより小さければＴＰＣビットで送信電力をあげるコマンド（ｕｐコマンド）を作成する。目標ＳＩＲは例えば、１０−３（１０００回に１回の割合でエラー発生）を得るために必要なＳＩＲ値であり、目標ＳＩＲ設定部５ｅより比較部５ｄに入力される。拡散変調部５ｆは送信データ及びＴＰＣビットを拡散変調する。拡散変調後、移動機５はＤＡ変換、直交変調、周波数変換、電力増幅などの処理を施してアンテナより基地局３ａに向けて送信する。基地局側の逆拡散部３ａ３は、移動機５から受信した信号に逆拡散処理を施し、復調部３ａ４は受信データ、ＴＰＣビットを復調し、該ＴＰＣビットで指示されたコマンドにしたがって電力増幅器３ａ２の送信電力を制御する。
図３６、図３７はそれぞれ３ＧＰＰで標準化されている上りリンクと下りリンクのフレーム構成図である。なお、下りとは基地局が移動機方向に送信するデータの方向を示し、上りはその逆で移動機が基地局方向に送信するデータの方向を示す。
図３６において、上りリンクのフレームは図示するように、送信データのみが送信される個別データチャネル（Ｄｅｄｉｃａｔｅｄ  Ｐｈｙｓｉｃａｌ  Ｄａｔａ  Ｃｈａｎｎｅｌ：ＤＰＤＣＨ）と、パイロットＰｉｌｏｔやＴＰＣビット情報等の制御データが多重されて送信される個別制御チャネル（Ｄｅｄｉｃａｔｅｄ  Ｐｈｙｓｉｃａｌ  Ｃｏｎｔｒｏｌ  Ｃｈａｎｎｅｌ：ＤＰＣＣＨ）を有し、それぞれ直交符号により拡散されたあと、実数軸および虚数軸にマッピングされて多重される。上りリンクの１フレームは１０ｍｓｅｃで、１５スロット（ｓｌｏｔ＃０〜ｓｌｏｔ＃１４）で構成されている。個別制御チャネルＤＰＣＣＨの各スロットは１０ビットで構成され、シンボル速度は１５ｋｓｐｓ一定であり、パイロットＰＩＬＯＴ、送信電力制御データＴＰＣ、トランスポート・フォーマット・コンビネーション・インジケータＴＦＣＩ、フィードバック情報ＦＢＩを送信する。なお、ＤＰＣＣＨとＤＰＤＣＨを合わせてＤＰＣＨ（Ｄｅｄｉｃａｔｅｄ  Ｐｈｙｓｉｃａｌ  Ｃｈａｎｎｅｌ）という。
図３７において、下りリンクのフレームは図示するように、１フレーム＝１０ｍｓｅｃ、１５スロット＃０〜＃１４で構成され、スロット毎に、第１データ部Ｄａｔａ１、第２データ部Ｄａｔａ２を送信する個別物理データチャネルＤＰＤＣＨと、ＰＩＬＯＴ、ＴＰＣ、ＴＦＣＩを送信する個別物理制御チャネルＤＰＣＣＨとを時分割多重する構成を有している。個別物理データチャネルＤＰＤＣＨは、▲１▼個別トラフィックチャネルＤＴＣＨと、▲２▼個別制御チャネルＤＣＣＨを有している。個別トラフィックチャネルＤＴＣＨは移動局と網間の個別トラフィック情報を送信するチャネルであり、個別制御チャネルＤＣＣＨは、移動局と網間の個別制御情報の伝送に用いるチャネルである。
以上では、１つの移動機が１つの基地局と通信を行っている場合であるが、移動によるハンドオーバ時、図３８に示すように、移動機５は同時に２つ以上の基地局３ａ，３ｂと通信する。かかるハンドオーバ時、基地局制御装置１は複数の基地局３ａ，３ｂから受信する上りデータのうち品質が良好な方を選択する。品質の良好な方を選択することを選択合成といい、ハンドオーバ時のこのような制御をダイバーシチハンドオーバ（Ｄｉｖｅｒｓｉｔｙ  Ｈａｎｄ  Ｏｖｅｒ：ＤＨＯ）という。
ＤＨＯは上りリンクに限らず下りリンクでも同様に行われ、図３９に示すように、移動機５は基地局制御装置１から複数の基地局３ａ，３ｂを介して受信した複数の下りデータのうち品質が良好な方を選択する。すなわち、ＤＨＯ状態時、基地局制御装置１は上位網であるコアネットワークから入力されたデータを複製し、基地局３ａ，３ｂへ分配する。この分配されたデータは畳み込み符号などの誤り訂正符号化処理を施された後、各々の基地局３ａ，３ｂから移動機５に対して無線区間を利用して送信される。ここで、基地局制御装置１から基地局３ａ，３ｂを経由して移動機５へつながるルートを伝送路と表現し、図では２つの伝送路を持つことになる。無線区間ではエラーが発生しやすいため、移動機５は基地局３ａ，３ｂから受信したデータの内、品質の良い方を選択する。
すなわち，図４０に示すように、移動機５は各基地局３ａ，３ｂからマルチパス６ａ１，６ａ２，．．．；６ｂ１，６ｂ２，．．．を介してデータを受信し、基地局毎にマルチパスを介して受信したデータを最大比合成し、それぞれの最大比合成結果データに誤り訂正処理を施して互いの品質を比較し、品質の良い方を選択する。
以上では、別の基地局３ａ，３ｂから同一データを送信するＤＨＯの場合であるが、図４１に示すように１つの基地局３の周囲をセクタ化し、各セクタＳＣ１〜ＳＣ３においてアンテナＡＴ１〜ＡＴ３より指向性ビームを放射するセクタ方式においても、ＤＨＯと同様なハンドオーバ制御（Ｓｅｃｔｏｒ  Ｈａｎｄ  Ｏｖｅｒ：ＳＨＯ）が行われる。すなわち、セクタＳＣ１に移動局５が所属する場合にはアンテナＡＴ１のみよりデータを送信するが、移動局５が移動して隣接セクタＳＣ２との境界領域に到達すると，基地局３はアンテナＡＴ１、ＡＴ２の両方から同一データを送信する。移動局５は、ＤＨＯと同様に各セクタアンテナ毎にマルチパスを介して受信したデータを最大比合成し、それぞれの最大比合成結果データに誤り訂正処理を施して互いの品質を比較し、品質の良い方を選択する。
かかるＤＨＯ，ＳＨＯ制御によれば、受信品質を向上できる利点があるが以下の問題点がある。
第１の問題点はＤＨＯによるデータ量が増加し、必要帯域が増大することである。移動局５から基地局３ａと基地局３ｂに同じデータを送信するということ、あるいは、基地局３ａと基地局３ｂから同じデータを移動局５に送信するということは、送信に必要な帯域が２倍必要になることを意味している。ＤＨＯの原理は、複数の異なる基地局をデータ伝送のための中継ノードとすることを許容しているため、３以上の基地局を中継ノードとする場合があり、かかる場合には送信に必要とされる帯域が３倍、４倍と、中継ノード分だけ増加する。
第２の問題点はＳＨＯによるデータ量が増加し、必要帯域が増大することである。ＳＨＯの場合、基地局３は複数のセクタに対して同じデータを送信することから、送信に必要な帯域が２倍必要になる。ＳＨＯの原理は、複数の異なるセクタをデータ伝送のための伝送路とすることを許容しているため、３以上のセクタを伝送路とする場合があり、かかる場合には送信に必要とされる帯域が３倍、４倍と、伝送路分だけ増加する。
第３の問題点は送信電力が大きくなり、これが他の移動機に対するノイズ要因となることである。送信すべきデータの帯域が大きいと、ＣＤＭＡ方式では品質を保つために、無線区間において送信電力を上げる。ハンドオーバ時のように複数の伝送路を介して通信を行っている場合には、全ての伝送路で同じ帯域を必要とすることから、一つの移動機で使用する電力値が高くなり、他の移動機に対するノイズ要因となる。
第４の問題点は、余分の電力により過剰品質となることである。移動機５において、ＤＨＯ状態における基地局３ａ，３ｂのどちらか一方のデータのみの品質がよければ（すなわち無線区間のエラーを訂正できる）、無線区間の送信電力値を必要最低値にすることができる。しかし、実際には電力制御により、どちらか一方のデータのみの品質を確保するように制御することは困難である。３ＧＰＰの送信電力制御では、基地局及び移動機のそれぞれにおいて目標ＳＩＲを満たしているかにより送信電力調整を行うと共に（インナーループ電力制御）、受信品質によって目標ＳＩＲを調整する制御を行っているが（アウターループ電力制御）、どちらか一方のデータのみの品質を確保するように制御はしない。このため、移動機５が各々の基地局３ａ，３ｂから受信した両方のデータの品質がともに良い場合が存在し、選択合成方法において、これは過剰品質であり余分の電力を消費していることになる。
第５の問題点は、無線リソースが枯渇することである。大量のデータを送信する、ということはそれだけ同時に使用可能な拡散符号を制限していることを意味する。ＤＳ−ＣＤＭＡで使用される直交符号の場合、チャネライゼーションコードとして使用されるショートコード（Ｗａｌｓｈ符号）は、拡散長（ＳＦ）が小さくなると、すなわち大量のデータを送信しようとすると、同時使用可能な他の直交符号が少なくなる。
ところで、ＤＨＯ後の基地局を基地局制御装置が正確に選択する従来技術がある（特許文献１）。この従来技術において、各基地局は受信信号の信頼度をＴＰＣ信号に基づいて検出し、基地局制御装置は各基地局の信頼度に基づいて一つの基地局を選択し、該基地局から入力する受信信号に誤り訂正復号処理を施してデータを判定する。
しかし、この従来技術は、ＤＨＯ状態あるいはＳＨＯ状態におけるデータ量の増加、必要帯域の増大を軽減するものではない。また、この従来技術では、送信電力を軽減し、過剰品質を改善し、無線リソースの枯渇を防止することはできない。
以上から本発明の目的は、ＤＨＯ状態あるいはＳＨＯ状態におけるデータ量の増加、必要帯域の増大を軽減することである。
本発明の別の目的は、送信電力を軽減し、過剰品質を改善し、無線リソースの枯渇を防止することである。
【特許文献１】特開平２０００−１９７０９５号公報
【発明の開示】
本発明の第１の態様は、移動機と基地局と基地局制御装置を備えた移動通信システムにおけるハンドオーバ通信方法である。このハンドオーバ通信方法において、送信側よりデータと該データに対する誤り訂正符号を別々の伝送路を介して送信し、受信側は該データと該データに対する誤り訂正符号を受信し、受信した前記データに受信した前記誤り訂正符号を用いて誤り訂正処理を施す。
本発明の第２の態様は、移動機と基地局と基地局制御装置を備えた移動通信システムにおけるハンドオーバ通信方法である。ハンドオーバ状態における下り送信に際して、基地局制御装置からのユーザデータを第１の基地局より移動機へ送信し、また、基地局制御装置からの前記ユーザデータに対する誤り訂正符号を第２の基地局より前記移動機へ送信し、前記移動機は受信した前記ユーザデータに、受信した前記誤り訂正符号を用いて誤り訂正処理を施す。
本発明の第３の態様は、移動機と基地局と基地局制御装置を備えた移動通信システムのハンドオーバ通信方法である。ハンドオーバ状態における上り送信に際して、移動機から第１の基地局へユーザデータを送信し、前記移動機から第２の基地局へ、前記ユーザデータに対する誤り訂正符号を送信し、基地局制御装置は前記第１、第２の基地局より受信した前記ユーザデータに、受信した前記誤り訂正符号を用いて誤り訂正処理を施す。
本発明の第４の態様は、移動機とセクタ化された基地局と基地局制御装置を移動通信システムのハンドオーバ通信方法である。ハンドオーバ状態における下り送信に際して、基地局制御装置からのユーザデータを前記セクタ化基地局の第１のセクタより移動機へ送信し、基地局制御装置からの前記ユーザデータに対する誤り訂正符号を、前記セクタ化基地局の第２のセクタより前記移動機へ送信し、前記移動機は受信した前記ユーザデータに、受信した前記誤り訂正符号を用いて誤り訂正処理を施す。
本発明の第５の態様は、移動機とセクタ化された基地局と基地局制御装置を移動通信システムのハンドオーバ通信方法である。ハンドオーバ状態における上り送信に際して、移動機からセクタ化基地局の第１のセクタへユーザデータを送信し、前記移動機から前記セクタ化基地局の第２のセクタへ前記ユーザデータに対する誤り訂正符号を送信し、前記セクタ化基地局あるいは前記基地局制御装置は、前記第１、第２のセクタより受信した前記ユーザデータに、前記誤り訂正符号を用いて誤り訂正処理を施す。
第１〜第４の発明によれば、第１の伝送路を介してユーザデータを第２の伝送路を介して誤り訂正符号のみを送信すれば良いため、ＤＨＯ状態あるいはＳＨＯ状態におけるデータ量の増加、必要帯域の増大を軽減することができる。
第１〜第４の発明によれば、必要帯域を押さえて送信電力を軽減でき、また、過剰品質の問題を改善でき、さらには無線リソースの枯渇を防止することができる。
【図面の簡単な説明】  図１はＤＨＯ状態における本発明の第１の原理説明図である。
図２はＤＨＯ状態における本発明の第２の原理説明図である。
図３はＳＨＯ状態における本発明の第１の原理説明図である。
図４はＳＨＯ状態における本発明の第２の原理説明図である。
図５は一次誤り訂正符号及び二次誤り訂正符号の生成、訂正処理の本発明の第１説明図である。
図６は一次誤り訂正符号及び二次誤り訂正符号の生成、訂正処理の本発明の第２説明図である。
図７は一次誤り訂正符号及び二次誤り訂正符号の生成、訂正処理の本発明の第３説明図である。
図８は２系統の送受信部を備えた移動機の構成図である。
図９はＤＨＯ状態時の下り通信の実施例説明図である。
図１０はＤＨＯ状態時の上り通信の実施例説明図である。
図１１は搭載データ識別法説明図である。
図１２はＳＨＯ状態時の下り通信の実施例説明図である。
図１３はＳＨＯ状態時の上り通信の実施例説明図である。
図１４はＳＨＯ状態時の下り通信の別の実施例説明図である。
図１５はＳＨＯ状態時の上り通信の別の実施例説明図である。
図１６は移動機での上り最良無線伝送路を決定するＲＳＣＰを用いた判定法及び方路切替法のフローチャートである。
図１７はハンドオーバ状態を終了してあるブランチを削除する場合の処理フローである。
図１８は送信電力制御情報（ＴＰＣ情報）を用いて基地局制御装置での下り最良無線伝送路を決定する判定法及び方路切替法のフローチャートである。
図１９は移動機と基地局間のＴＰＣ情報送信法及び基地局と基地局制御装置間のＴＰＣ情報送信法説明図である。
図２０は送信電力制御部を備えた移動機の構成図である。
図２１は送信電力制御部の構成図である。
図２２は一次誤り訂正符号とユーザデータの目的品質説明図である。
図２３は一次誤り訂正符号とユーザデータの個々の目的品質が悪くても所要の目的品質ＳＩＲＴＧＴを満足できることを示す説明図である。
図２４は第４実施例を実現するための移動機の構成図である。
図２５は成功情報通知フレームの説明図である。
図２６は誤り訂正能力の可変制御説明図である。
図２７は移動機の一次誤り訂正能力制御フローである。
図２８は無線区間における基地局からの電力制御情報（ＴＰＣ情報）を使用して誤り訂正能力をアップ／ダウン制御する説明図である。
図２９は受信側からの電力制御情報（ＴＰＣ情報）を用いて送信側の誤り訂正能力を制御するフローチャートである。
図３０は強制的に誤り訂正能力をアップあるいはダウンする場合の説明図である。
図３１は誤り訂正能力の制御フローである。
図３２は第３変形例の誤り訂正能力アップ／ダウン制御を行なう移動機の構成図である。
図３３は受信側で受信品質に基づいて誤り訂正能力のアップ／ダウンを決定して送信側に指示する処理フローである。
図３４は無線通信システムの構成概略図である。
図３５は送信電力制御（インナーループ電力制御）の説明図である。
図３６は上りＤＰＣＣＨチャネル説明図である。
図３７は下りＤＰＣＣＨチャネル説明図である。
図３８は移動によるハンドオーバ時の伝送路説明図である。
図３９はＤＨＯ状態におけるハンドオーバ制御説明図である。
図４０はＤＨＯ状態における別のハンドオーバ制御説明図である。
図４１はセクタハンドオーバ制御（Ｓｅｃｔｏｒ  Ｈａｎｄ  Ｏｖｅｒ：ＳＨＯ）説明図である。
【発明を実施するための最良の形態】  （Ａ）本発明の原理
図１、図２はＤＨＯ状態における本発明の原理説明図である。ダイバーシチハンドオーバ状態（ＤＨＯ）時の下り送信において、基地局制御装置１１は上位網からユーザデータＤＴを受信すれば、誤り訂正符号の生成処理を行う。例えば、ユーザデータに対してハミング符号などの誤り訂正符号を生成し、ユーザデータ（冗長部分を除く）を第１の基地局１３ａに送信し、誤り訂正符号ＥＣＣ（冗長部分）を第２の基地局１３ｂに送信する。第１の基地局１３ａは基地局制御装置１１から受信したユーザデータを移動機１５へ送信し、第２の基地局１３ｂは、基地局制御装置１１から受信したユーザデータに対する誤り訂正符号を移動機１５へ送信する。移動機１５は受信したユーザデータに対して受信した誤り訂正符号を用いて誤り訂正処理を施してユーザデータを復号する。すなわち，図２に示すように、移動機１５は基地局１３ａからマルチパス１６ａ１，１６ａ２，．．．を介して信号を受信し、該マルチパスを介して受信した信号を最大比合成してユーザデータを復調する。同様に移動機１５は基地局１３ｂからマルチパス１６ｂ１，１６ｂ２，．．．を介して信号を受信し、該マルチパスを介して受信した信号を最大比合成して誤り訂正符号を取得する。しかる後、移動機１５は、ユーザデータに対して誤り訂正符号を用いて誤り訂正処理を施し、訂正結果を出力する。
以上はＤＨＯ状態における下り送信の例であるが上り送信は上記処理が逆になるだけである。すなわち、移動機１５はユーザデータに対して誤り訂正符号の生成処理を行う。例えば、ユーザデータに対してハミング符号などの誤り訂正符号を生成し、ユーザデータ（冗長部分を除く）を第１の基地局１３ａに送信し、誤り訂正符号（冗長部分）を第２の基地局１３ｂに送信する。第１の基地局１３ａは移動機１５からマルチパスを介して信号を受信し、該信号を最大比合成してユーザデータを復調して基地局制御装置１１に送信する。同様に、第１の基地局１３ｂは移動機１５からマルチパスを介して信号を受信し、該信号を最大比合成して誤り訂正符号を復調して基地局制御装置１１に送信する。基地局制御装置１１は、ユーザデータに対して誤り訂正符号を用いて誤り訂正処理を施し、訂正結果（ユーザデータ）を上位網へ出力する。
図３、図４はＳＨＯ状態における本発明の原理説明図である。セクタハンドオーバ状態（ＳＨＯ）時の下り送信において、基地局制御装置１１は上位網からユーザデータＤＴを受信すれば、該ユーザデータをセクタ化された基地局（セクタ化基地局）１４に送信する。セクタ化基地局１４はユーザデータに対して誤り訂正符号の生成処理を行う。例えば、ユーザデータに対してハミング符号などの誤り訂正符号を生成する。ブロック（訂正）符号とするとよい。そして、セクタ化基地局１４は第１セクタ１４ａを介してユーザデータＤＴを移動機１５へ送信し、第２セクタ１４ｂを介してユーザデータに対する誤り訂正符号ＥＣＣを移動機１５へ送信する。移動機１５は受信したユーザデータに対して受信した誤り訂正符号を用いて誤り訂正処理を施してユーザデータを復号する。すなわち，図４に示すように、移動機１５は第１セクタ１４ａからマルチパス１７ａ１，１７ａ２，．．．を介して信号を受信し、該マルチパスを介して受信した信号を最大比合成してユーザデータを復調する。同様に移動機１５は第２セクタ１４ｂからマルチパス１７ｂ１，１７ｂ２，．．．を介して信号を受信し、該マルチパスを介して受信した信号を最大比合成して誤り訂正符号を取得する。しかる後、移動機１５は、ユーザデータに対して誤り訂正符号を用いて誤り訂正処理を施し、訂正結果を出力する。
以上はＳＨＯ状態における下り送信の例であるが上り送信は上記処理が逆になるだけである。すなわち、移動機１５はユーザデータに対して誤り訂正符号の生成処理を行う。例えば、ユーザデータに対してハミング符号などのブロック訂正符号を生成し、ユーザデータをセクタ化基地局１４の第１セクタ１４ａに送信し、誤り訂正符号を第２セクタ１４ｂに送信する。第１セクタ１４ａは移動機１５からマルチパスを介して信号を受信し、該信号を最大比合成してユーザデータを復調する。同様に、第２セクタ１４ｂは移動機１５からマルチパスを介して信号を受信し、該信号を最大比合成して誤り訂正符号を復調する。しかる後、セクタ化基地局１４は、ユーザデータに対して誤り訂正符号を用いて誤り訂正処理を施し、訂正結果（ユーザデータ）を基地局制御装置１１に送信する。基地局制御装置１１は、受信したユーザデータを上位網へ出力する。
以上の第２の原理図では、ＳＨＯ下り送信状態において、セクタ化基地局１４で誤り訂正符号生成処理を行ったが、基地局制御装置１１で誤り訂正符号生成処理を行い、ユーザデータと誤り訂正符号をセクタ基地局１４に送出するように構成することもできる。また、ＳＨＯ上り送信状態において、セクタ化基地局１４で誤り訂正処理を行なったが、基地局制御装置１１にユーザデータと誤り訂正符号を送出して誤り訂正処理するように構成することもできる。
本発明によれば、第１の伝送路を介してユーザデータを第２の伝送路を介して誤り訂正符号のみを送信すれば良いため、ＤＨＯ状態あるいはＳＨＯ状態におけるデータ量の増加、必要帯域の増大を軽減することができる。
又、本発明によれば、必要帯域を押さえて送信電力を軽減でき、しかも、過剰品質の問題を改善でき、さらには無線リソースの枯渇を防止することができる。
（Ｂ）一次誤り訂正符号及び二次誤り訂正符号の生成及び訂正処理
図５〜図７は一次誤り訂正符号及び二次誤り訂正符号の生成及び訂正処理の説明図である。原理説明ではブロック符号などの一次誤り訂正符号の生成付加と該一次誤り訂正符号を用いた誤り訂正処理について説明したが、実際は、畳み込み符号化などによる二次誤り訂正符号の生成付加と該二次誤り訂正符号を用いた誤り訂正処理も行われる。
図５はＤＨＯ状態時における下り送信における誤り訂正符号の生成及び訂正処理の説明図である。基地局制御装置１１は上位網からユーザデータＤＴを受信すれば、一次誤り訂正符号の生成処理を行う。例えば、ユーザデータに対してハミング符号などのブロック訂正符号を生成し、ユーザデータＤＴを第１の基地局１３ａに送信し、一次誤り訂正符号ＥＣＣを第２の基地局１３ｂに送信する。第１の基地局１３ａは基地局制御装置１１から受信したユーザデータＤＴに畳み込み符号化などの二次誤り訂正符号化処理を施し、得られた符号化データＣＤＴを移動機１５へ送信する。第２の基地局１３ｂは基地局制御装置１１から受信した一次誤り訂正符号ＥＣＣに畳み込み符号化などの二次誤り訂正符号化処理を施し、得られた符号化された一次誤り訂正符号ＣＥＣＣを移動機１５へ送信する。移動機１５は受信した符号化データＣＤＴに二次誤り訂正処理を行なってユーザデータＤＴ′を復号すると共に、受信した符号化された一次誤り訂正符号ＣＥＣＣに二次誤り訂正処理を行なって一次誤り訂正符号ＥＣＣ′を復号する。ついで、移動機１５は、二次誤り訂正により得られたユーザデータＤＴ′に一次誤り訂正符号ＥＣＣ′を用いて誤り訂正処理を施してユーザデータＤＴを復号する。
なお、第１の基地局１３ａに対してユーザデータＤＴ、第２の基地局１３ｂに対して一次誤り訂正符号ＥＣＣを送信することで、各基地局制御装置−基地局間で送信する情報は、ＤＴ＋ＥＣＣとするより少なくなるというメリットがある。又、ユーザデータＤＴを各基地局に送り、１の基地局がユーザデータＤＴを移動局に送り、他の基地局が一次誤り訂正符号ＥＣＣをユーザデータＤＴから生成して移動局に送ると、基地局制御装置のＥＣＣ生成処理が分散されるメリットがある。尚、この時、基地局制御装置が一次誤り訂正符号ＥＣＣを送信する基地局を指定する情報を送信し、基地局は該指定に従って動作をすることとできる。
以上はＤＨＯ状態時下り送信の場合であるが、上り送信も同様に行なわれる。
図６はＳＨＯ状態時における下り送信における誤り訂正符号の生成及び訂正処理の説明図である。基地局制御装置１１は上位網からユーザデータＤＴを受信すれば、該ユーザデータをセクタ化基地局１４に送信する。セクタ化基地局１４はユーザデータに対して一次誤り訂正符号の生成処理を行う。例えば、ユーザデータに対してハミング符号などのブロック訂正符号を生成し、ユーザデータＤＴを第１のセクタ１４ａに入力し、一次誤り訂正符号ＥＣＣを第２のセクタ１４ｂに入力する。第１セクタ１４ａは入力したユーザデータＤＴに畳み込み符号化などの二次誤り訂正符号化処理を施し、得られた符号化データＣＤＴを移動機１５へ送信する。第２セクタ１４ｂは入力した一次誤り訂正符号ＥＣＣに畳み込み符号化などの二次誤り訂正符号化処理を施し、得られた符号化された一次誤り訂正符号ＣＥＣＣを移動機１５へ送信する。移動機１５は受信した符号化データＣＤＴに二次誤り訂正処理を行なってユーザデータＤＴ′を復号すると共に、受信した符号化された一次誤り訂正符号ＣＥＣＣに二次誤り訂正処理を行なって一次誤り訂正符号ＥＣＣ′を復号する。ついで、移動機１５は、二次誤り訂正により得られたユーザデータＤＴ′に一次誤り訂正符号ＥＣＣ′を用いて誤り訂正処理を施してユーザデータＤＴを復号する。以上はＳＨＯ状態時下り送信の場合であるが、上り送信も同様に行なわれる。
図７はＳＨＯ状態時における下り送信における誤り訂正符号の生成及び訂正処理の別の説明図であり、基地局制御装置１１において一次誤り訂正符号生成処理する点が図６と異なる。
基地局制御装置１１は上位網からユーザデータＤＴを受信すれば、一次誤り訂正符号の生成処理を行う。例えば、ユーザデータに対してハミング符号などのブロック訂正符号を生成し、ユーザデータＤＴをセクタ基地局１４の第１セクタ１４ａに送信し、一次誤り訂正符号ＥＣＣを第２のセクタ１４ｂに送信する。
セクタ化基地局１４の第１セクタ１４ａは入力したユーザデータＤＴに畳み込み符号化などの二次誤り訂正符号化処理を施し、得られた符号化データＣＤＴを移動機１５へ送信する。第２セクタ１４ｂは入力した一次誤り訂正符号ＥＣＣに畳み込み符号化などの二次誤り訂正符号化処理を施し、得られた符号化された一次誤り訂正符号ＣＥＣＣを移動機１５へ送信する。移動機１５は受信した符号化データＣＤＴに対して二次誤り訂正処理を施してユーザデータＤＴ′を復号すると共に、受信した符号化された一次誤り訂正符号ＣＥＣＣに二次誤り訂正処理を施して一次誤り訂正符号ＥＣＣ′を復号する。ついで、移動機１５は、二次誤り訂正により得られたユーザデータＤＴ′に一次誤り訂正符号ＥＣＣ′を用いて誤り訂正処理を施してユーザデータＤＴを復号する。以上はＳＨＯ状態における下り送信の場合であるが、上り送信も同様に行なわれる。
（Ｃ）移動機の構成
図８は移動機の構成図であり、２系統の送受信部を備えている。第１、第２の受信部における無線部５１ａ，５１ｂは基地局からの信号を受信し、周波数変換、直交復調してベースバンド信号に変換し、最大比合成／復調部５２ａ，５２ｂはマルチパスのパス毎に受信信号に逆拡散処理を施して復調し、復調結果を最大比合成して出力する。デインタリーブ／二次誤り訂正部５３ａ，５３ｂは復調データにデインタリーブ処理を施し、ついで、二次誤り訂正処理を実行する。データ／一次誤り訂正符号識別部５４ａ，５４ｂはＤＰＣＣＨにマッピングされている搭載データ識別情報に基づいて受信信号がユーザデータであるか一次誤り訂正符号であるか識別し、識別結果を一次誤り訂正部５５に入力する。一次誤り訂正部５５は二次誤り訂正されたユーザデータに一次誤り訂正符号を用いて一次誤り訂正処理を行なってユーザデータを出力する。
送信側において、一次誤り訂正符号生成部６１はユーザデータに対して一次誤り訂正符号生成処理を施して伝送路選択／識別情報付加部６２に入力する。比較部６３は最大比合成／復調部５２ａ，５２ｂから入力する希望波のＲＳＣＰ（Ｒｅｃｅｉｖｅｄ  Ｓｉｇｎａｌ  Ｃｏｄｅ  Ｐｏｗｅｒ（ｄＢｍ））の大小結果を伝送路選択／識別情報付加部６２に入力する。伝送路選択／識別情報付加部６２は大小結果に基づいてユーザデータ、一次誤り訂正符号を第１、第２の送信側に振り分ける。すなわち、ＲＳＣＰの大きな伝送路（最良無線伝送路）を介してユーザデータを送信し、ＲＳＣＰの小さな伝送路を介して一次誤り訂正符号を伝送するようにユーザデータ、一次誤り訂正符号を第１、第２の送信側に振り分ける。
第１、第２の二次誤り訂正符号生成／インタリーブ部６４ａ，６４ｂは、入力データに畳み込み符号化処理（二次誤り訂正符号化処理）を施し、ついで、インタリーブ処理を施して拡散変調部６５ａ，６５ｂ入力する。拡散変調部６５ａ，６５ｂは入力データに対して拡散変調処理を施し、無線部６６ａ，６６ｂは拡散変調された信号に直交変調、周波数変換、電力増幅などの処理を施してアンテナより基地局に向けて送信する。なお、第１受信側回路５１ａ〜５４ａと第１送信側回路６４ａ〜６６ａは、第１の送受信機を構成し、第２受信側回路５１ｂ〜５４ｂと第２送信側回路６４ｂ〜６６ｂは、第２の送受信機を構成する。
（Ｄ）第１実施例
（ａ）ＤＨＯ状態時の下り通信
図９はＤＨＯ状態時の下り通信の実施例説明図である。
基地局制御装置１１の一次誤り訂正符号生成部１１ａは上位装置１０からユーザデータＤＴを受信すれば、一次誤り訂正符号の生成処理を行う。例えば、ユーザデータに対してハミング符号などのブロック訂正符号を生成する。伝送路選択部１１ｂは最良無線伝送路、たとえば、第１基地局１３ａを介する伝送路にユーザデータＤＴを送出し、他の無線伝送路、すなわち、第２基地局１３ｂを介する伝送路に一次誤り訂正符号ＥＣＣを送出する。
第１基地局１３ａの二次誤り訂正符号生成部１３ａ１は、基地局制御装置１１から受信したユーザデータＤＴに畳み込み符号化などの二次誤り訂正符号化処理を施し、インタリーブ部１３ａ２は該符号化データＣＤＴにインタリーブ処理を施し、拡散変調部１３ａ３は符号化データを拡散変調して移動機１５に向けて送信する。
第２基地局１３ｂの二次誤り訂正符号生成部１３ｂ１は、基地局制御装置１１から受信した一次誤り訂正符号ＥＣＣに畳み込み符号化などの二次誤り訂正符号化処理を施し、インタリーブ部１３ｂ２は該符号化データＣＥＣＣにインタリーブ処理を施し、拡散変調部１３ｂ３は符号化データを拡散変調して移動機１５に向けて送信する。
移動機１５において、最大比合成／復調部５２ａ，５２ｂは、それぞれマルチパスを介して信号を受信し、該マルチパスを介して受信した信号を最大比合成して復調する。ついで、デインタリーブ／二次誤り訂正部５３ａ，５３ｂは、復調データにデインタリーブ処理、二次誤り訂正処理を順次施してそれぞれユーザデータＤＴ′、一次誤り訂正符号ＥＣＣ′を復元する。しかる後、一次誤り訂正部５５はユーザデータＤＴ′に対して誤り訂正符号ＥＣＣ′を用いて誤り訂正処理を施し、誤りが訂正されたユーザデータＤＴを出力する。
（ｂ）ＤＨＯ状態時の上り通信
図１０はＤＨＯ状態時の上り通信の実施例説明図である。
移動機１５の一次誤り訂正符号生成部６１はユーザデータＤＴに対して一次誤り訂正符号の生成処理を行う。伝送路選択／識別情報付加部６２は最良無線伝送路に、たとえば、第１基地局１３ａの送信側にユーザデータＤＴを送出し、他の無線伝送路、すなわち、第２基地局１３ｂの送信側に一次誤り訂正符号ＥＣＣを送出する。このとき、伝送路選択／識別情報付加部６２は、ＤＰＣＣＨの適所に搭載データ識別情報をマッピングする。図１１は搭載データ識別法説明図であり、移動機１５から基地局１３ａ，１３ｂにはＤＰＣＣＨフレームに搭載データ識別情報フィールドを設け、そこに搭載データ識別情報（０：一次誤り訂正符号、１：ユーザデータ）を乗せる。
二次誤り訂正符号生成／インタリーブ部６４ａ，６４ｂは、それぞれ入力したユーザデータ、一次誤り訂正符号ＤＴ，ＥＣＣにそれぞれ畳み込み符号化などの二次誤り訂正符号化処理を施し、ついで、該符号化データＣＤＴ、符号化された一次誤り訂正符号ＣＥＣＣにインタリーブ処理を施して拡散変調部６５ａ，６５ｂに入力する。拡散変調部６５ａ，６５ｂはそれぞれ符号化データを拡散変調して第１、第２の基地局１３ａ，１３ｂに向けて送信する。
第１，第２基地局１３ａ，１３ｂの最大比合成／復調部１３ｂ４，１３ａ４はそれぞれ、マルチパスを介して信号を受信し、該マルチパスを介して受信した信号を最大比合成して復調する。ついで、デインタリーブ部１３ａ５，１３ｂ５は、復調データにデインタリーブ処理を施し、二次誤り符号訂正部１３ａ６，１３ｂ６はデインタリーブ結果に対して二次誤り訂正処理を施してそれぞれユーザデータＤＴ′、一次誤り訂正符号ＥＣＣ′を復元して基地局制御装置１１に送信する。このとき、第１，第２基地局１３ａ，１３ｂはＩｕｂフレームの適所に搭載データ識別情報をマッピングする。図１１は搭載データ識別法説明図であり、基地局１３ａ，１３ｂから基地局制御装置１１にはＩｕｂ上りフレームに搭載データ識別情報フィールドを設け、そこに搭載データ識別情報（０：一次誤り訂正符号、１：ユーザデータ）を乗せる。
基地局制御装置１１の一次誤り訂正部１１ｃはユーザデータＤＴ′および一次誤り訂正符号ＥＣＣ′を受信すれば、ユーザデータＤＴ′に誤り訂正符号ＥＣＣ′を用いて誤り訂正処理を施し、誤りが訂正されたユーザデータＤＴを発生して上位装置１０に入力する。
（Ｅ）第２実施例
（ａ）ＳＨＯ状態時の下り通信
図１２はＳＨＯ状態時の下り通信の実施例説明図である。
基地局制御装置１１は上位装置１０よりユーザデータを受信すれば、該ユーザデータをセクタ化基地局１４に送信する。
セクタ化基地局１４の一次誤り訂正符号生成部１４ｃは基地局制御装置１１からユーザデータＤＴを受信すれば、一次誤り訂正符号の生成処理を行う。伝送路選択部１４ｄは最良無線伝送路、たとえば、第１セクタ１４ａ側にユーザデータＤＴを送出し、第２セクタ側に一次誤り訂正符号ＥＣＣを送出する。
第１セクタ１４ａの二次誤り訂正符号生成部１４ａ１は、入力したユーザデータＤＴに畳み込み符号化などの二次誤り訂正符号化処理を施し、インタリーブ部１４ａ２は該符号化データＣＤＴにインタリーブ処理を施し、拡散変調部１４ａ３は符号化データを拡散変調して移動機１５に向けて送信する。
第２セクタ１４ｂの二次誤り訂正符号生成部１４ｂ１は入力した一次誤り訂正符号ＥＣＣに畳み込み符号化などの二次誤り訂正符号化処理を施し、インタリーブ部１４ｂ２は該符号化された一次誤り訂正符号ＣＥＣＣにインタリーブ処理を施し、拡散変調部１４ｂ３はインタリーブされた一次誤り訂正符号ＣＥＣＣを拡散変調して移動機１５に向けて送信する。
移動機１５において、最大比合成／復調部５２ａ，５２ｂは、それぞれマルチパスを介して信号を受信し、該マルチパスを介して受信した信号を最大比合成して復調する。ついで、デインタリーブ／二次誤り訂正部５３ａ，５３ｂは、復調データにデインタリーブ処理、二次誤り訂正処理を順次施してそれぞれユーザデータＤＴ′、一次誤り訂正符号ＥＣＣ′を復元する。しかる後、一次誤り訂正部５５はユーザデータＤＴ′に対して誤り訂正符号ＥＣＣ′を用いて誤り訂正処理を施し、誤りが訂正されたユーザデータＤＴを出力する。
（ｂ）ＳＨＯ状態時の上り通信
図１３はＳＨＯ状態時の上り通信の実施例説明図である。
移動機１５の一次誤り訂正符号生成部６１はユーザデータＤＴに対して一次誤り訂正符号の生成処理を行う。伝送路選択／識別情報付加部６２は最良無線伝送路、たとえば、第１セクタ１４ａに対する送信側にユーザデータＤＴを送出し、他の無線伝送路、すなわち、第２セクタ１４ｂに対する送信側に一次誤り訂正符号ＥＣＣを送出する。なお、伝送路選択／識別情報付加部６２は、ＤＰＣＣＨの適所に搭載データ識別情報をマッピングする（図１１参照）。
二次誤り訂正符号生成／インタリーブ部６４ａ，６４ｂは、それぞれ入力したユーザデータＤＴ、一次誤り訂正符号ＥＣＣにそれぞれ畳み込み符号化などの二次誤り訂正符号化処理を施し、ついで、該符号化データＣＤＴ、符号化された一次誤り訂正符号ＣＥＣＣにインタリーブ処理を施して拡散変調部６５ａ，６５ｂに入力する。拡散変調部６５ａ，６５ｂはそれぞれ符号化データを拡散変調してセクタ化基地局１４に向けて送信する。
セクタ化基地局１４の第１セクタ１４ａの最大比合成／復調部１４ａ４，１４ｂ４はそれぞれ、マルチパスを介して信号を受信し、該マルチパスを介して受信した信号を最大比合成して復調する。ついで、デインタリーブ部１４ａ５，１４ｂ５は、復調データにデインタリーブ処理を施し、二次誤り符号訂正部１４ａ６，１４ｂ６はデインタリーブ結果に対して二次誤り訂正処理を施してそれぞれユーザデータＤＴ′、一次誤り訂正符号ＥＣＣ′を復元して一次誤り訂正部１４ｅに入力する。一次誤り訂正部１４ｅはユーザデータＤＴ′に誤り訂正符号ＥＣＣ′を用いて誤り訂正処理を施し、誤りが訂正されたユーザデータＤＴを発生して基地局制御装置１１に送信し、基地局制御装置１１は該ユーザデータを上位装置１０に送出する。
（Ｆ）第３実施例
（ａ）ＳＨＯ状態時の下り通信
図１４はＳＨＯ状態時の下り通信における別の実施例説明図であり、基地局制御装置において一次誤り訂正符号生成処理を行なう点で第２実施例（図１２）と異なる。
基地局制御装置１１の一次誤り訂正符号生成部１１ａは上位装置１０からユーザデータＤＴを受信すれば、一次誤り訂正符号の生成処理を行う。伝送路選択部１１ｂは最良無線伝送路、たとえば、セクタ化基地局１４の第１セクタ１４ａを介する伝送路にユーザデータＤＴを送出し、他の無線伝送路、すなわち、第２セクタ１４ｂを介する伝送路に一次誤り訂正符号ＥＣＣを送出する。
セクタ化基地局１４の第１セクタ１４ａの二次誤り訂正符号生成部１４ａ１は、基地局制御装置１１から受信したユーザデータＤＴに畳み込み符号化などの二次誤り訂正符号化処理を施し、インタリーブ部１４ａ２は該符号化データＣＤＴにインタリーブ処理を施し、拡散変調部１４ａ３は符号化データを拡散変調して移動機１５に向けて送信する。
第２セクタ１４ｂの二次誤り訂正符号生成部１４ｂ１は、基地局制御装置１１から受信した一次誤り訂正符号ＥＣＣに畳み込み符号化などの二次誤り訂正符号化処理を施し、インタリーブ部１４ｂ２は該符号化データＣＥＣＣにインタリーブ処理を施し、拡散変調部１４ｂ３は符号化データを拡散変調して移動機１５に向けて送信する。
移動機１５において、最大比合成／復調部５２ａ，５２ｂは、それぞれマルチパスを介して信号を受信し、該マルチパスを介して受信した信号を最大比合成して復調する。ついで、デインタリーブ／二次誤り訂正部５３ａ，５３ｂは、復調データにデインタリーブ処理、二次誤り訂正処理を順次施してそれぞれユーザデータＤＴ′、一次誤り訂正符号ＥＣＣ′を復元する。しかる後、一次誤り訂正部５５はユーザデータＤＴ′に対して誤り訂正符号ＥＣＣ′を用いて誤り訂正処理を施し、誤りが訂正されたユーザデータＤＴを出力する。
（ｂ）ＳＨＯ状態時の上り通信
図１５はＳＨＯ状態時の上り通信における別の実施例説明図であり、基地局制御装置において一次誤り訂正処理を行なう点で第２実施例（図１３）と異なる。
移動機１５の一次誤り訂正符号生成部６１はユーザデータＤＴに対して一次誤り訂正符号の生成処理を行う。伝送路選択／識別情報付加部６２は、最良無線伝送路に、たとえば、セクタ化基地局１４の第１セクタ１４ａ側にユーザデータＤＴを送出し、第２セクタ１４ｂ側に一次誤り訂正符号ＥＣＣを送出する。なお、伝送路選択／識別情報付加部６２は、ＤＰＣＣＨの適所に搭載データ識別情報をマッピングする（図１１参照）
二次誤り訂正符号生成／インタリーブ部６４ａ，６４ｂは、それぞれ入力したユーザデータＤＴ、一次誤り訂正符号ＥＣＣにそれぞれ畳み込み符号化などの二次誤り訂正符号化処理を施し、ついで、該符号化データＣＤＴ、符号化された一次誤り訂正符号ＣＥＣＣにインタリーブ処理を施して拡散変調部６５ａ，６５ｂに入力する。拡散変調部６５ａ，６５ｂはそれぞれ符号化データを拡散変調してセクタ化基地局１４の第１、第２セクタに向けて送信する。
セクタ化基地局１４の第１，第２セクタ１４ａ，１４ｂの最大比合成／復調部１４ａ４，１４ｂ４はそれぞれ、マルチパスを介して信号を受信し、該マルチパスを介して受信した信号を最大比合成して復調する。ついで、デインタリーブ部１４ａ５，１４ｂ５は、復調データにデインタリーブ処理を施し、二次誤り符号訂正部１４ａ６，１４ｂ６はデインタリーブ結果に対して二次誤り訂正処理を施してそれぞれユーザデータＤＴ′、一次誤り訂正符号ＥＣＣ′を復元し、基地局制御装置１１の一次誤り訂正部１１ｃに送信する。
基地局制御装置１１の一次誤り訂正部１１ｃはユーザデータＤＴ′に誤り訂正符号ＥＣＣ′を用いて誤り訂正処理を施し、誤りが訂正されたユーザデータＤＴを発生して上位装置１０に送出する。
（Ｇ）最良無線伝送路判定法
第１〜第３実施例では、畳み込み符号化（二次誤り訂正符号化）されたユーザデータを最良無線伝送路より送信し、それ以外の伝送路で一次誤り訂正符号を送信する。これは、一次誤り訂正符号がたとえ復元不可能な程、誤っていても、畳み込み符号化ユーザデータを誤り訂正可能範囲内で受信できればユーザデータを復元できるからである。以上より、最良無線伝送路を判別する必要がある。
（ａ）移動機の上り最良無線伝送路判定法及び方路切替法
図１６はＲＳＣＰ（Ｒｅｃｅｉｖｅｄ  Ｓｔｒｅｎｇｔｈ  Ｃｏｄｅ  Ｐｏｗｅｒ）を用いて移動機での上り最良無線伝送路を決定する判定法及び方路切替法のフローチャートである。以下では、移動機１５（図８）における処理を説明するが、各ノードにおいても同様の処理により最良無線伝送路を判定して切り替えることができる。
ハンドオーバ状態になって新たなブランチ（伝送路）が追加されると（図１６（Ａ））、最大比合成／復調部５２ａ，５２ｂのＲＳＣＰ測定部（図示せず）はブランチ（伝送路）毎にＲＳＣＰを測定し、測定結果を比較部６３に入力する（ステップ１０１）。なお、３ＧＰＰシステムでは、ブランチ追加前に、追加予定セクタあるいは追加予定セルに存在する下り信号のＣＰＩＣＨ（共通パイロットチャネル）のＲＳＣＰを測定し、この測定ＲＳＣＰが設定値以上になったことでブランチ追加契機としている。また、ブランチ追加時、追加されるＤＰＣＨ（個別物理チャネル）に関する情報をまだ持っていない。このため、ＣＰＩＣＨのでＲＳＣＰで代用する。
比較部６３は両者の大小を比較し、比較結果を伝送路選択／識別情報付加部６２に入力する（ステップ１０２）。伝送路選択／識別情報付加部６２は、追加されたブランチのＲＳＣＰの方が小さければ、それまでのブランチをユーザデータ送信用に割り当て（ステップ１０３）、追加されたブランチを一次誤り訂正符号用に割り当て（ステップ１０４）、ユーザデータＤＴ、一次誤り訂正符号ＥＣＣをそれぞれ対応する側に出力する。一方、追加されたブランチのＲＳＣＰの方が大きければ、追加されたブランチをユーザデータ送信用に割り当て（ステップ１０５）、それまでのブランチを一次誤り訂正符号用に割り当て（ステップ１０６）、ユーザデータＤＴ、一次誤り訂正符号ＥＣＣをそれぞれ対応する側に出力する。
以後、ハンドオーバ状態においては図１６（Ｂ）に示す処理を継続する。すなわち、最大比合成／復調部５２ａ，５２ｂは、ブランチ毎にＤＰＣＨのＲＳＣＰを測定し、測定結果を比較部６３に入力する（ステップ１１１）。比較部６３は両者の大小を比較し、比較結果を伝送路選択／識別情報付加部６２に入力する。伝送路選択／識別情報付加部６２は、ＲＳＣＰの大小関係が逆転したかチェックし（ステップ１１２）、逆転しなければ、それまでのユーザデータおよび一次誤り訂正符号の割り当て伝送路を変更せず維持する（ステップ１１３）。しかし、逆転すればユーザデータおよび一次誤り訂正符号の割り当て伝送路を切り替え（ステップ１１４）、ユーザデータＤＴ、一次誤り訂正符号ＥＣＣをそれぞれ対応する側に選択出力する。
以上では２ブランチの場合について説明したが、３ブランチ以上の場合にも本発明を適用でき、かかる場合には最大のＲＳＣＰのブランチをユーザデータ送信用ブランチとし、残りを一次誤り符号送信用とする。
図１７はハンドオーバ状態を終了し、所定のブランチを削除する場合の処理フローである。
伝送路選択／識別情報付加部６２は、ハンドオーバが終了したかチェックし（ステップ１２１）、終了しなければ図１６（Ｂ）の処理を繰返し、ハンドオーバが終了すれば、削除予定ブランチがユーザデータ用に割り当てられているかチェックする（ステップ１２２）。削除予定ブランチがユーザデータ用に割り当てられていれば、他のブランチにユーザデータを割り当て（ステップ１２３）、ユーザデータ用に割り当てられていなければ、他のブランチに一次誤り訂正符号を割り当てる（ステップ１２４）。これにより、以後、移動機１５は、１ブランチを介してユーザデータと一次誤り訂正符号を送信する（ステップ１２５）。
以上のＲＳＣＰを用いる方法は、上り、下りの周波数が同一の場合簡単に最良伝送路を決定できるが、上り下りの周波数が異なるＤＳ−ＣＤＭＡ  ＦＤＤの場合には上りと下りとで伝送路状態が異なるため正しく最良伝送路を決定できない欠点がある。しかし、基地局からの送信電力制御情報（ＴＰＣ情報）に基づいて上り最良無線伝送路を決定する方法によれば、ＤＳ−ＣＤＭＡ  ＦＤＤの場合にも最良無線伝送路を決定することができる。この決定方法の原理は以下の通りである。
上り最良無線伝送路であれば、基地局から移動機に対して送信電力低下指示がＴＰＣビットで指示される回数が、他の伝送路に比べて多くなる。そこで、伝送路毎にＴＰＣビットによる送信電力低下指示回数をカウントし、カウント数が多い伝送路を最良無線伝送路であると決定する。
（ｂ）基地局制御装置の下り最良無線伝送路判定法及び方路切替法
基地局制御装置の下り最良無線伝送路判定法の内容を簡単に説明すると、移動機１５（図１）は下り伝送路の受信品質に基づいてＴＰＣビット情報をＤＰＣＣＨで基地局１３ａ，１３ｂに送信する。
各基地局１３ａ，１３ｂは該ＴＰＣビット情報で指示された送信電力低下指示をＴＴＩ（Ｔｒａｎｓｍｉｓｓｉｏｎ  Ｔｉｍｅ  Ｉｎｔｅｒｖａｌ）の期間カウントし、カウント値を基地局制御装置１１に送信する。基地局制御装置１１はＴＴＩでの送信電力低下指示回数を受信し、この送信電力低下指示回数に基づいてどちらの伝送路が最良であるかを判定する。そして、この判定結果を元に、基地局制御装置１１は、どのブランチにユーザデータもしくは誤り訂正用データを割り当てるかを決定する。これにより、最良無線伝送路をリアルタイムに知ることが可能となる。
図１８は送信電力制御情報（ＴＰＣ情報）を用いて基地局制御装置１１での下り最良無線伝送路を決定する判定法及び方路切替法のフローチャートであり、ハードウェア構成は図１を参照されたい。なお、基地局制御装置１１における処理を説明するが、各ノードにおいても同様の処理により最良無線伝送路を判定して切り替えることができる。
ハンドオーバ状態になって新たなブランチ（伝送路）が追加されると（図１８（Ａ））、各基地局１３ａ，１３ｂは移動機１５からのＴＰＣビットにおける送信電力低下指示回数をそれぞれＴＴＩの間カウントし、カウント値を基地局制御装置１１に通知する（ステップ２０１）。基地局制御装置１１は基地局１３ａ，１３ｂより各伝送路（各ブランチ）の送信電力低下指示回数を受信し（ステップ２０２）、該送信電力低下指示回数に基づいて、第１ブランチの下り伝送路品質が最良であるかチェックする（ステップ２０３）。
第１ブランチの下り伝送路品質が最良であれば、第１ブランチをユーザデータ用に割り当て（ステップ２０４）、第２ブランチを一次誤り訂正符号用に割り当てる（ステップ２０５）。そして、該割当に基づいて、ユーザデータおよび一次誤り訂正符号を第１、第２ブランチに送出する。
一方、第１ブランチの下り伝送路品質が最良でなく、第２ブランチの下り伝送路品質が最良であれば、第２ブランチをユーザデータ用に割り当て（ステップ２０６）、第１ブランチを一次誤り訂正符号用に割り当てる（ステップ２０７）。そして、該割当に基づいて、ユーザデータおよび一次誤り訂正符号を第１、第２ブランチに送出する。
以後、ハンドオーバ状態においては、図１８（Ｂ）に示す処理を継続する。すなわち、各基地局１３ａ，１３ｂは移動機からのＴＰＣビットにおける送信電力低下指示回数をそれぞれＴＴＩの間カウントし、カウント値を基地局制御装置１１に通知する（ステップ２１１）。基地局制御装置１１は基地局１３ａ，１３ｂより各伝送路（各ブランチ）の送信電力低下指示回数を受信し（ステップ２１２）、該送信電力低下指示回数に基づいて、下り最良伝送路が逆転したかチェックし（ステップ２１３）、逆転しなければ、それまでのユーザデータおよび一次誤り訂正符号の割り当て伝送路を変更せず維持する（ステップ２１４）。しかし、逆転すればユーザデータおよび一次誤り訂正符号の割り当て伝送路を切り替え（ステップ２１５）、ユーザデータＤＴおよび一次誤り訂正符号ＥＣＣをそれぞれの伝送路に選択出力する。
図１９は移動機から基地局へのＴＰＣ情報送信例及び基地局から基地局制御装置へのＴＰＣ情報送信例説明図である。移動機１５から基地局１３ａ，１３ｂへは、ＤＰＣＣＨチャネル（図３６）のＴＰＣビットを用いてＴＰＣ情報（送信電力ダウン／アップ指示）を送り、基地局１３ａ，１３ｂから基地局制御装置１１へはＩｕｂ上りフレームのＴＰＣ情報フィールドに挿入してＴＰＣ情報（送信電力低下指示回数）を送る。
（Ｈ）各伝送路の品質目標
図２０は送信電力制御部を備えた移動機の構成図であり、図８の構成に送信電力制御部６７ａ，６７ｂを付加した構成になっている。送信電力制御部６７ａ，６７ｂはそれぞれ受信品質と目標品質を比較し、品質の良否に基いて基地局からの送信電力をＴＰＣビットで制御する。
図２１は送信電力制御部６７ａ，６７ｂの構成図であり、ＳＩＲ測定部７１は受信信号のＳＩＲ値を演算して測定ＳＩＲとして出力し、比較部７２は目標ＳＩＲ（＝ＳＩＲＴＧＴ）と測定ＳＩＲを比較し、ＴＰＣビット生成部７３は測定ＳＩＲが目標ＳＩＲより大きければＴＰＣビットで送信電力を下げるコマンドを作成し、測定ＳＩＲが目標ＳＩＲより小さければＴＰＣビットで送信電力をあげるコマンドを作成する。ＢＬＥＲ測定部７４は二次誤り訂正処理の復号結果に対してトランスポートブロック毎にＣＲＣ誤り検出を行い、所定時間Ｔ内におけるエラーレート（測定ＢＬＥＲ＝誤りブロック数／総ブロック数）を測定して目標ＳＩＲ更新制御部７５に入力する。目標ＳＩＲ更新制御部７５は、所要ＢＬＥＲと測定ＢＬＥＲを比較し、その大小に基づいて目標ＳＩＲを増減する。すなわち、測定ＢＬＥＲが目標ＢＬＥＲよりも悪ければ目標ＳＩＲを所定量増加させ、良ければ目標ＳＩＲを所定量減少させる制御を行う。
以上の送信電力制御機能を備えた構成において、第１〜第３実施例に従ってユーザデータと一次誤り訂正符号を別々のブランチ（伝送路）を介して伝送すると、各ブランチの目標品質が所要の目標品質より悪くてもトータル的に所要の目標品質を得ることができる。以下においてその理由を説明する。
現在、ユーザデータに一つの所要の目標品質ＳＩＲＴＧＴが要求されているとする。ここで第１〜第３実施例を適用した場合、ユーザデータを一次誤り訂正符号によって訂正した結果（ユーザデータ）の目的品質が前記目標品質ＳＩＲＴＧＴである。
よって、一次誤り訂正前のユーザデータの目的品質と一次誤り訂正符号の目標品質を各々別に設定し、一次誤り訂正後のユーザデータが目標品質ＳＩＲＴＧＴを満たしていれば良いことになる。これは、一次誤り訂正前のユーザデータと一次誤り訂正符号のそれぞれに与えられる目標品質は、一次誤り訂正後のユーザデータに与えられる目標品質ＳＩＲＴＧＴより低く設定出来るということになる。というのは、一次誤り訂正前の目標品質が一次誤り訂正後のユーザデータの目標品質ＳＩＲＴＧＴと同じであれば過剰品質となるからである。
同様に一次誤り訂正符号の目標品質についても同じことが言える。一次誤り訂正後のユーザデータの目標品質ＳＩＲＴＧＴが得られるだけの誤り訂正能力以上の一次誤り訂正符号を生成することにより、目標品質を低く設定することが可能となる。
たとえば図２２に示すように、
▲１▼一次誤り訂正後のユーザデータの目標品質ＳＩＲＴＧＴ（ＢＥＲ）：Ａ（＝１×１０−２）
▲２▼一次誤り訂正前のユーザデータの目標品質（ＢＥＲ）：Ｂ（＝１０×１０−２）
▲３▼一次誤り訂正符号の目標品質（ＢＬＥＲ）：Ｃ（＝ｍ×１０−２）
▲４▼一次誤り訂正符号の誤り訂正能力：Ｄ（＝１×１０−１）
とすれば、次式
Ａ＝Ｂ−（１−Ｃ）×Ｄ
が成立する。上式に数値を代入すると
１０×１０−２−（１−１０×１０−２）×１０−１＝１×１０−２
となり、それぞれの目的品質が悪くても所要の目的品質ＳＩＲＴＧＴを満足する。図２３は上記例の説明図であり、ユーザデータのＢＥＲが１０−１、一次誤り訂正符号のＢＥＲが１０−１であっても、一次誤り訂正後にＢＥＲが１０−２のユーザデータが得られることがわかる。
（Ｉ）第４実施例
第４実施例は誤り訂正符号の可変方法であり、正しくユーザデータを受信できたかに否かに応じて送信側の一次誤り訂正能力を制御する。第４実施例の概略は、データ受信側でデータを受信し、誤り訂正によりユーザデータを正しく受信できたか否かの情報を、送信側の一次誤り訂正符号生成部へ通知し、該一次誤り訂正符号生成部が受信側の受信状態に基づいて一次誤り訂正能力を制御する。
図２４は第４実施例を実現するための移動機の構成図であり、図２０の構成と同一部分には同一符号を付している。異なる点は、成功情報識別部８１、誤り能力アップ／ダウン決定部８２、成功情報付加部８３を備えている点である。
基地局１３ａ，１３ｂあるいは基地局制御装置１１は移動機１５から受信したユーザデータに誤り訂正処理を施し、正しくユーザデータを復元できれば成功情報を移動機１５に通知する。図２５は成功情報通知フレームの説明図であり、移動機１５と基地局１３ａ，１３ｂ間ではＤＰＣＣＨチャネルの所定のフィールドを成功情報フィールドとして割り当て、該フィールドに成功情報（０：成功、１：失敗）を載せて通知する。基地局１３ａ，１３ｂと基地局制御装置１１間ではＩｕｂフレームの所定のフィールドを成功情報フィールドとして割り当て、該フィールドに成功情報（０：成功、１：失敗）を載せて通知する。
成功情報識別部８１は基地局あるいは基地局制御装置より送られてくる成功情報を識別して誤り能力アップ／ダウン決定部８２に入力し、誤り能力アップ／ダウン決定部８２は所定の測定期間における成功情報数をカウントして成功率を計算し、成功率が閾値より大きければ一次誤り訂正能力ダウンを、成功情報数が閾値より小さければ一次誤り訂正能力アップを一次誤り訂正符号生成部６１に指示する。一次誤り訂正符号生成部６１は該指示に基づいて一次誤り訂正能力を制御する。なお、閾値は受信側での受信目標品質で定義される。
図２６は誤り訂正符号の可変制御説明図であり、測定期間における成功情報数に基づいて一次誤り訂正能力を制御する様子を示している。
図２７は移動機の一次誤り訂正能力制御フローであり、成功情報を受信し（ステップ３０１）、該成功情報を保存して所定の測定期間の成功率を計算する（ステップ３０２〜３０３）。ついで、成功率と閾値を比較し（ステップ３０４）、成功率が閾値より小さければ上りの一次誤り訂正能力をアップすると決定し（ステップ３０５）、また成功率が閾値より大きければ上りの一次誤り訂正能力をダウンすると決定し（ステップ３０６）、アップ／ダウン指示を一次誤り訂正符号生成部６１に指示して一次誤り訂正能力を制御する（ステップ３０７）。
・第１変形例
以上では成功情報を受信して誤り訂正能力のアップ／ダウンを制御したが、図２８に示すように成功情報の代わりに無線区間における基地局からの電力制御情報（ＴＰＣ情報）を使用することもできる。図２９は受信側からの電力制御情報（ＴＰＣ情報）を用いて送信側の一次誤り訂正符号生成部の誤り訂正能力を制御するフローチャートである。
基地局からＴＰＣ情報を受信し（ステップ４０１）、該ＴＰＣ情報を保存して所定の測定期間において電力低下指示回数を計算する（ステップ４０２〜４０３）。ついで、電力低下指示回数と閾値を比較し（ステップ４０４）、電力低下指示回数が閾値より小さければ上りの一次誤り訂正能力をアップすると決定し（ステップ４０５）、また電力低下指示回数が閾値より大きければ上りの一次誤り訂正能力をダウンすると決定し（ステップ４０６）、アップ／ダウン指示を一次誤り訂正符号生成部６１に指示して一次誤り訂正能力を制御する（ステップ４０７）。
誤り訂正能力制御（図２７及び図２９）において、受信側で成功率あるいは電力低下指示回数を測定中において、測定期間の途中で測定率あるいは電力低下指示回数が閾値を超える場合がある。かかる場合、図３０に示すように、測定期間の満了を待たずに直ちに強制的に誤り訂正能力をアップあるいはダウンし、今回の測定期間満了時に何もせず次の測定期間へ移行するように制御することもできる。このようにすれば、誤り訂正の能力制御のスピードを早めることができる。
・第２変形例
一次誤り訂正符号生成部６１は設定範囲を越えて誤り訂正能力をアップあるいはダウンしないように制御することができる。図３１はかかる誤り訂正能力制御フローである。一次誤り訂正能力を下げるダウン指示が誤り能力アップ／ダウン決定部８２からあれば（ステップ５０１）、一次誤り訂正符号生成部６１は誤り訂正能力を下げられるかチェックし（ステップ５０２）、誤り訂正能力を下げられれば一次誤り訂正能力を下げ（ステップ５０３）、誤り訂正能力を下げられなければ、一次誤り訂正能力を変更せず、あるいは、一次誤り訂正符号の送信を停止する（ステップ５０４）。同様に、一次誤り訂正能力を上げるアップ指示があったとき、一次誤り訂正符号生成部６１は、これ以上誤り訂正能力を上げることが不可能であれば、一次誤り訂正能力を変更せず、可能であれば一次誤り訂正能力をアップする。
・第３変形例
以上では、受信側（例えば基地局）より１フレーム毎に成功情報を送信側に送信する場合であるが、受信側（基地局）において、受信成功／失敗、或いは、受信電力制御情報（ＴＰＣ情報）、あるいは、受信品質に基づいて統計処理し、誤り訂正能力アップ／ダウン指示を送信側（移動機）に通知するように構成することもできる。かかる構成によれば、送信側の一次誤り訂正符号生成部は、該誤り訂正能力アップ／ダウン指示を受信した時点でその情報を基に誤り訂正能力アップ／ダウン制御を直ちに行なうことができる。
図３２は第３変形例の誤り訂正能力アップ／ダウン制御を行なう移動機の構成図であり、図２０の構成と同一部分には同一符号を付している。異なる点は、基地局あるいは基地局制御装置から通知される誤り訂正能力アップ／ダウン指示情報を識別する訂正能力指示情報識別部９１と一次誤り訂正後に正しいユーザデータを復元できたか否かを示す成功率を所定期間測定し、該成功率に基づいて基地局あるいは基地局制御装置における誤り訂正能力のアップ／ダウンを決定する能力アップ／ダウン決定部９２を備えている。なお、図２５の成功情報フィールドに代えて能力指示フィールドを設け、該フィールドにアップ／ダウン指示情報を挿入する。
図３３は受信側（たとえば基地局制御装置）で受信品質に基づいて誤り訂正能力アップ／ダウンを決定して送信側（移動機）に指示する処理フローである。
受信側は、誤り訂正後の受信品質と目的品質を比較し（ステップ６０１，６０２）、受信品質が目標品質以上であれば、上りの誤り訂正能力をダウンすると決定し（ステップ６０３）、受信品質が目標品質以下であれば、上りの誤り訂正能力をアップすると決定し（ステップ６０４）、移動機に誤り訂正能力のアップ／ダウンを指示する（ステップ６０５）。
・誤り訂正符号生成部への電力制御情報への通知方法
基地局と基地局制御装置間の電力制御情報（ＴＰＣ情報）の送受信は、図１９で説明したようにＩｕｂフレームの適所にＴＰＣ情報をマッピングすることにより行なう。又、移動機と基地局間ではＤＰＣＣＨチャネルに電力制御情報（ＴＰＣ情報）を搭載する。下りユーザデータが基地局から送信されない場合においても、上りＤＰＣＣＨにＴＰＣ情報を付与し手送信するから、基地局側では常に電力制御情報を受信することができる。
基地局から基地局制御装置への電力制御情報の伝達は、基地局が無線フレーム上にある電力制御情報をＩｕｂフレーム（有線フレーム上）にマッピングすることで実現する。３ＧＰＰシステムの場合、Ｉｕｂフレームの上り送信周期は、無線フレーム上におけるインターリーブ周期となっているため、基地局ではこのインターリーブ周期での受信ＴＰＣを統計処理し、Ｉｕｂフレームにマッピングする。
例えば１無線フレームにて基地局が受信したＴＰＣ数が複数存在し、且つこれの指示が全て同一でない場合には（電力増加指示：電力減少指示＝ｍ：ｎで存在）、この個数もしくは指示の多い方をＩｕｂフレームにマッピングする。個数を通知する場合には、Ｉｕｂフレーム上に電力増加指示／減少指示各々のフィールドを設け、それぞれにその存在した個数を搭載する。また多い方を通知する場合には１ビット分の電力制御指示情報フィールドを用意し、基地局制御装置へ電力増加指示／減少指示（１：電力増加指示、０：電力減少指示）を通知する。
以上では２つの伝送路を設け、それぞれの伝送路でユーザデータと一次誤り訂正符号を送信する場合であるが、３以上の伝送路を設け、複数の伝送路でユーザデータあるいは一次誤り訂正符号を送信するように構成することもできる。
又、実施例では一次誤り訂正符号、二次誤り訂正符号を付加して訂正する場合について説明したが、本発明は一次誤り訂正符号のみを付した場合でも適用できることは勿論である。
（Ｊ）変形例
・第１変形例
以上の実施例では、ユーザデータＤＴと一次誤り訂正符号ＥＣＣの送信タイミングについて詳細には説明していないが、ＥＣＣに対応するＤＴを移動局が受信完了するまでの間、若しくは受信完了から所定の時間内までにこのＥＣＣを移動局が受信完了できるように、基地局でＥＣＣ送信のタイミング制御を行うことが望ましい。ＥＣＣの受信が遅れることにより復号開始が遅れることもあるからである。
尚、全ての実施例において、ＥＣＣの受信が得られないと判定すると、ＥＣＣなしで、ＤＴをそのＥＣＣを用いた誤り訂正をせずに、後段ブロックに受信ＤＴとして出力することが望ましい。ＤＴの受信は誤りを含むかもしれないが、音声等の再生が可能なことがあるからである。一方、ＥＣＣが得られない場合は、ＤＴも破棄（音声等の出力をしないことを含む）または再送を要求することも望ましい。信頼性が低く、パケットデータ等であれば、遅延もある程度許容されるからである。
・第２変形例
ユーザデータＤＴ送信を行う１パスに対して、ＥＣＣ送信を行う１パスを設定することは時には、無線伝送資源を圧迫することがある。
そこで、異なるデータ系列ＤＴ１、ＤＴ２を２つの第１、第２パスを介して送信する場合にＤＴ１についてのＥＣＣ１とＤＴ２についてＥＣＣ２を多重して、第３のパスで送信することが望ましい。
例えば、ＤＴ１の伝送速度をＳ１、ＤＴ２の伝送速度をＳ２とすると、ＥＣＣ１とＥＣＣ２を結合して新たなデータ系列ＥＣＣ＋として第３のパスを介して送信する。尚、このとき、移動局において分離可能なように、区切りを示す情報を挿入しておくことが好ましい。
また、ＥＣＣ＋のデータ量が増加し、伝送に時間を要することとなると、ＤＴ１、ＤＴ２の復号の遅延を招くこととなる。そこで、好ましくは多重数に応じてＥＣＣ＋の伝送速度を増大させるとよい。ＥＣＣ＋を例えば符号分割により送信できるのであれば、例えばＳＦを小さくすることにより伝送速度を増大させることは容易である。
・第３実施例
誤り訂正としてターボ符号を用いる場合は、Ｕ、Ｕ’、Ｕ”等のように元のデータＵに対して複数の誤り訂正用の符号系列を生成されることとなる。
このとき、例えば（１）ＵとＵ’のペアを第１基地局（第１パス）から移動機に送信し、Ｕ”を第２基地局（第２パス）から送信することができる。（２）もし３以上の基地局から送信可能であれば、ＵとＵ’（又はＵ”）のペアを第１基地局（第１パス）から移動機に送信し、Ｕ”（又はＵ’）を第２、３基地局（第２、３パス）から送信することはもちろん、（３）Ｕを第１基地局からＵ’を第２基地局、Ｕ”を第３基地局から送信することもできる。
（１）の場合は、第２基地局からの信号を移動局が受信できない場合等の第２パスが信頼性がなければ、第１基地局からＵとＵ’の受信が可能であれば、そのペアを用いて、誤り訂正復号を行うことができる。例えばＳＯＶＡやＭＡＰ演算処理を行えばよいのである。
また、（２）の場合は、Ｕ’（又はＵ”）を冗長性を持たせて送信しているため、Ｕ、Ｕ’、Ｕ”の３つの情報を用いてターボ復号を行うことができる可能性が高まり、誤り訂正機能が十分に発揮されることとなる。
更に、（３）の場合は、第１基地局に加え、第２、第３基地局のどちらか一方からの信号を受信できれば、誤り訂正を行うことができ、しかも、双方から受信できれば更にＵ、Ｕ’、Ｕ”の３つの情報を用いてターボ復号を行うことができ、誤り訂正機能が十分に発揮されることとなる。
・発明の効果
従来の方式では、複数ブランチ状態においては両方に同じデータを出すので、トラフィック的には無駄になる。本発明によれば、一次誤り訂正符号のデータ量をユーザデータ量より少なくでき、トラフィックを減らすことが可能となる。
ハンドオーバ時、移動機は基地局から遠い位置にいる場合が多いですが、このとき無線区間の送信電力値は品質を保つために高いことが想定される。本発明によれば、一次誤り訂正率が低い場合、すなわち一次誤り訂正符号のデータ量が少ない場合、拡散率を大きくできるため、電力値を押さえることが可能となる。
本発明によれば、移動機での従来の選択合成機能を不要とすることができる。
本発明によれば、ユーザデータの誤り訂正符号による訂正結果が所要品質を満たしていれば良いため、ユーザデータ／一次誤り訂正符号各々の品質は目標品質以下で構わない。
本発明によれば、通信する総所要帯域を少なくできる。これにより誤り訂正符号を送信する基地局／移動機間で使用するＳＦを広くとれ。このため、選択合成方式に比べて無線リソース（使用可能コード）を確保できる。
本発明によれば、ユーザデータの要求品質を、一次誤り訂正結果後のデータで判断する。このため、二次誤り訂正後のデータの品質はこれに対して下げることが可能となり、送信電力値を落とすか、あるいは送信レートを上げることが可能になる。
【図１】
2005025262.tif 000003
【図２】
2005025262.tif 000004
【図３】
2005025262.tif 000005
【図４】
2005025262.tif 000006
【図５】
2005025262.tif 000007
【図６】
2005025262.tif 000008
【図７】
2005025262.tif 000009
【図８】
2005025262.tif 000010
【図９】
2005025262.tif 000011
【図１０】
2005025262.tif 000012
【図１１】
2005025262.tif 000013
【図１２】
2005025262.tif 000014
【図１３】
2005025262.tif 000015
【図１４】
2005025262.tif 000016
【図１５】
2005025262.tif 000017
【図１６】
2005025262.tif 000018
【図１７】
2005025262.tif 000019
【図１８】
2005025262.tif 000020
【図１９】
2005025262.tif 000021
【図２０】
2005025262.tif 000022
【図２１】
2005025262.tif 000023
【図２２】
2005025262.tif 000024
【図２３】
2005025262.tif 000025
【図２４】
2005025262.tif 000026
【図２５】
2005025262.tif 000027
【図２６】
2005025262.tif 000028
【図２７】
2005025262.tif 000029
【図２８】
2005025262.tif 000030
【図２９】
2005025262.tif 000031
【図３０】
2005025262.tif 000032
【図３１】
2005025262.tif 000033
【図３２】
2005025262.tif 000034
【図３３】
2005025262.tif 000035
【図３４】
2005025262.tif 000036
【図３５】
2005025262.tif 000037
【図３６】
2005025262.tif 000038
【図３７】
2005025262.tif 000039
【図３８】
2005025262.tif 000040
【図３９】
2005025262.tif 000041
【図４０】
2005025262.tif 000042
【図４１】
2005025262.tif 000043
【国際調査報告】
2005025262.tif 000044
2005025262.tif 000045
2005025262.tif 000046